(57)【要約】      （修正有）【課題】基本玩具に簡単にホイップクリーム状の特殊合成樹脂であるクリーム樹脂で装飾を施すことができる装飾体成形補助具を提供する。【解決手段】下端に位置し上面が平面状の台座２と、台座２上に摺動可能に配置された基本玩具載置トレイ３と、クリーム樹脂が充填される押し出し容器４と、上下動可能であって、下端に押し出し容器４内のクリーム樹脂を下方に押し込む押圧板７５ａを有し、自動で上方に復帰が可能とされた操作部材７と、台座２から垂直に立ち上がるカバー部材９と、を備える。押し出し容器４は、底板に複数の穴が所定の装飾形状の外形を形成するように配列され、かつ、上方が開口とされ、基本玩具載置トレイ３の上方に着脱自在に配置される。【選択図】図２
0003167093.tif 000002
【実用新案登録請求の範囲】
【請求項１】
ホイップクリーム状の特殊合成樹脂であるクリーム樹脂を基本玩具上に絞り出して前記基本玩具に装飾を施すのに用いる装飾体成形補助具であり、
前記クリーム樹脂が充填される容器であって、底板に複数の穴が所定の装飾形状の外形を形成するように配列され、かつ、上方が開口とされた押し出し容器と、
下端に位置し上面が平面状の台座、該台座上であって前記押し出し容器の下方位置に配置される基本玩具載置トレイ、上下動可能であって、下端に前記押し出し容器内のクリーム樹脂を下方に押し込む押圧板を有し、自動で上方に復帰が可能とされた操作部材、および、前記台座から垂直に立ち上がるカバー部材、から構成される本体と、
を備えることを特徴とする装飾体成形補助具。
【請求項２】
前記押し出し容器の内側において前記押し出し容器に対して相対的に上下動可能とされ、前記操作部材の押圧板に押圧されて前記押し出し容器内のクリーム樹脂を下方に押し込む押込部材を備えることを特徴とする請求項１に記載の装飾体成形補助具。
【請求項３】
前記カバー部材に上下方向に可動な状態で装着されて前記押し出し容器を保持する容器保持部材を備え、
前記押し出し容器が前記容器保持部材に着脱自在とされていることを特徴とする請求項１又は請求項２に記載の装飾体成形補助具。
【請求項４】
前記台座には摺動溝が形成され、
前記基本玩具載置トレイは前記摺動溝に沿って前後に摺動可能とされていることを特徴とする請求項１乃至請求項３のいずれか１項に記載の装飾体成形補助具。
【請求項５】
前記カバー部材は、下方に位置し前記基本玩具や前記押し出し容器が配置される玩具収納空間と、玩具収納空間の上方に位置し前記操作部材が上下動する上方空間と、を備え、前記玩具収納空間の前方が開口とされ、
前記操作部材は、上端に位置するハンドルと、該ハンドルの下面に固着され、下端近傍に前記上方空間からの脱離を防止する膨出部を備えた円筒形状の第一作用杆と、該第一作用杆の下方内側に嵌入され下端に前記押圧板を備えた円筒形状の第二作用杆と、前記カバー部材に載置され前記第二作用杆が貫入される弾性体係止環と、前記第一作用杆の膨出部と前記弾性体係止環との間において前記第二作用杆の周縁に巻装される弾性体と、を備えることを特徴とする請求項１乃至請求項４のいずれか１項に記載の装飾体成形補助具。
【請求項６】
前記カバー部材の前記玩具収納空間を形成する側板には、上下方向に延在する誘導溝と、該誘導溝と直交する方向である横方向に延在し内側に向かって突出する掛止枠と、が形成され、
前記容器保持部材は、方形状で前方中央にＵ字状の切欠きを有し前記カバー部材の掛止枠に係止する大きさとされた上面板と、前記上面板から垂下する前方を開口とした略Ｕ字状の外側板と、該外側板の下方に形成された前記押し出し容器が掛止される掛止部と、を備え、前記外側板の外面には、前記上面板の下面から垂下し、前記カバー部材の誘導溝に沿って摺動する摺動レールを有していることを特徴とする請求項３乃至請求項５のいずれか１項に記載の装飾体成型補助具。
【請求項７】
前記装飾形状が異なる複数種類の前記押し出し容器を備え、
前記複数種類の押し出し容器の各容器にそれぞれ形成された前記複数の穴の配列である装飾形状は、ハート型形状、扇型形状、前記底板の外周縁近傍において外周縁に沿って形成された大円形状、該大円形状よりも小さな直径であって前記底板の中心近傍に形成された小円形状、のパターンを少なくとも含むことを特徴とする請求項１乃至請求項６のいずれか１項に記載の装飾体成形補助具。
【請求項８】
前記押し出し容器の下端面の中心位置には、下方に突出する中央突起が形成されていることを特徴とする請求項１乃至請求項７のいずれか１項に記載の装飾体成型補助具。
【請求項９】
前記基本玩具載置トレイには、前記基本玩具を載置するときの目安となる、前記基本玩具の外形状と同一形状の溝が形成されていることを特徴とする請求項１乃至請求項８のいずれか１項に記載の装飾体成形補助具。
【考案の詳細な説明】
【技術分野】
【０００１】
本考案は、ケーキなどの食品模型のアクセサリーを成形して遊ぶ玩具で使用する装飾体成形補助具に関する。
【背景技術】
【０００２】
今日、食品の形状を模した種々の玩具が提供されている。例えば、特許文献１では、食品と調理用具などを組合せ、調理や食事の真似をして遊ぶ知育玩具（調理玩具）について提案がなされている。また、本願出願人は、先の出願（特許文献２）においてケーキのスポンジなどを模した基本玩具にホイップクリームなどを模した特殊合成樹脂製のクリームで装飾を施し、食品模型のアクセサリーを成形して遊ぶ玩具において使用する装飾体玩具成形セットの提案を行っている。
【先行技術文献】
【特許文献】
【０００３】
【特許文献１】特開２０００−１１６９６９号公報
【特許文献２】特開２０１０−１５２号公報
【考案の概要】
【考案が解決しようとする課題】
【０００４】
上記特許文献２の装飾体玩具成形セットは、ユーザが見本となる絵などを参考にしながら基本玩具の上方で樹脂チューブを移動させつつクリームを絞り出してハート型などの形状を基本玩具の上面に描いていく構成である。しかしながら、基本玩具の上面にバランスよくクリームを絞り出すことは難しく、特に幼児など小さい子供にとっては困難な作業であった。さらに、クリームが固まってしまうとやり直しがきかないため、装飾に失敗した場合には基本玩具が無駄になってしまうという問題点もあった。
【０００５】
そこで、本考案は、基本玩具に簡単にクリーム樹脂で装飾を施すことができる装飾体成形補助具を提供することを目的としている。
【課題を解決するための手段】
【０００６】
本考案は、ホイップクリーム状の特殊合成樹脂であるクリーム樹脂を基本玩具上に絞り出して前記基本玩具に装飾を施すのに用いる装飾体成形補助具であり、前記クリーム樹脂が充填される容器であって、底板に複数の穴が所定の装飾形状の外形を形成するように配列され、かつ、上方が開口とされた押し出し容器と、下端に位置し上面が平面状の台座、該台座上であって前記押し出し容器の下方位置に配置される基本玩具載置トレイ、上下動可能であって、下端に前記押し出し容器内のクリーム樹脂を下方に押し込む押圧板を有し、自動で上方に復帰が可能とされた操作部材、および、前記台座から垂直に立ち上がるカバー部材、から構成される本体と、を備えることを特徴とする。
【０００７】
また、本考案の装飾体成形補助具は、前記押し出し容器の内側において前記押し出し容器に対して相対的に上下動可能とされ、前記操作部材の押圧板に押圧されて前記押し出し容器内のクリーム樹脂を下方に押し込む押込部材を備えることを特徴とする。
【０００８】
さらに、本考案の装飾体成形補助具においては、前記カバー部材に上下方向に可動な状態で装着されて前記押し出し容器を保持する容器保持部材を備え、前記押し出し容器が前記容器保持部材に着脱自在とされていることを特徴とする。
【０００９】
また、本考案の装飾体成形補助具において前記台座には摺動溝が形成され、前記基本玩具載置トレイは前記摺動溝に沿って前後に摺動可能とされていることを特徴とする。
【００１０】
そして、本考案の装飾体成形補助具において前記カバー部材は、下方に位置し前記基本玩具や前記押し出し容器が配置される玩具収納空間と、玩具収納空間の上方に位置し前記操作部材が上下動する上方空間と、を備え、前記玩具収納空間の前方が開口とされ、前記操作部材は、上端に位置するハンドルと、該ハンドルの下面に固着され、下端近傍に前記上方空間からの脱離を防止する膨出部を備えた円筒形状の第一作用杆と、該第一作用杆の下方内側に嵌入され下端に前記押圧板を備えた円筒形状の第二作用杆と、前記カバー部材に載置され前記第二作用杆が貫入される弾性体係止環と、前記第一作用杆の膨出部と前記弾性体係止環との間において前記第二作用杆の周縁に巻装される弾性体と、を備えることを特徴とする。
【００１１】
また、本考案の装飾体成形補助具において前記カバー部材の前記玩具収納空間を形成する側板には、上下方向に延在する誘導溝と、該誘導溝と直交する方向である横方向に延在し内側に向かって突出する掛止枠と、が形成され、前記容器保持部材は、方形状で前方中央にＵ字状の切欠きを有し前記カバー部材の掛止枠に係止する大きさとされた上面板と、前記上面板から垂下する前方を開口とした略Ｕ字状の外側板と、該外側板の下方に形成された前記押し出し容器が掛止される掛止部と、を備え、前記外側板の外面には、前記上面板の下面から垂下し、前記カバー部材の誘導溝に沿って摺動する摺動レールを有していることを特徴とする。
【００１２】
また、本考案の装飾体成形補助具は、前記装飾形状が異なる複数種類の前記押し出し容器を備え、前記複数種類の押し出し容器の各容器にそれぞれ形成された前記複数の穴の配列である装飾形状は、ハート型形状、扇型形状、前記底板の外周縁近傍において外周縁に沿って形成された大円形状、該大円形状よりも小さな直径であって前記底板の中心近傍に形成された小円形状、のパターンを少なくとも含むことを特徴とする。
【００１３】
そして、本考案の装飾体成形補助具において前記押し出し容器の下端面の中心位置には、下方に突出する中央突起が形成されていることを特徴とする。
【００１４】
さらに、本考案の装飾体成形補助具において前記基本玩具載置トレイには、前記基本玩具を載置するときの目安となる、前記基本玩具の外形状と同一形状の溝が形成されていることを特徴とする。
【考案の効果】
【００１５】
本考案によれば、基本玩具に簡単にクリーム樹脂で装飾を施すことができる装飾体成形補助具を提供することができる。
【００１６】
すなわち、本発明における装飾体成形補助具が、下面に所定の外形状を形成する複数の押し出し穴が形成された押し出し容器と、台座、基本玩具載置トレイ、押し出し容器、操作部材、および、カバー部材、からなる台座と、を備えた構成とされることにより、基本玩具を基本玩具載置トレイ上に載置し操作部材を下方に押し込むように操作するだけで、基本玩具上に容易にクリーム樹脂による装飾を施すことができることとなる。
【００１７】
また、操作部材の押圧板と押し出し容器との間に押込部材を配置することにより、クリーム樹脂が装飾体成形補助具の本体に取り付けられた押圧板に付着することがないため、クリーム樹脂が操作部材の可動部分に付着して凝固し、動作に支障をきたすことを防止でき、また、押し出し容器内のクリーム樹脂を確実に下方に押し込むことが可能となる。
【００１８】
さらに、カバー部材に押し出し容器を保持する上下方向に可動な容器保持部材を配置し、押し出し容器を容器保持部材に対して着脱自在とすることにより、クリーム樹脂を容易に補充することができ、また、洗浄も容易となり、さらに、異なる装飾形状を有した押し出し容器に容易に交換することができる。
【００１９】
そして、基本玩具載置トレイを摺動可能な構成とすることにより、基本玩具を載置する場合には基本玩具載置トレイをカバー部材の玩具収納空間から引き出すことができるため、基本玩具のセットが容易となる。
【００２０】
さらに、操作部材が、ハンドル、第一作用杆、第二作用杆、弾性体などの部材による簡易な構造とされているため、装飾体成形補助具の組立が容易となり、また、操作も簡単なため、幼児などでも簡単に食品模型のアクセサリーを製造できることとなる。
【００２１】
そして、カバー部材に誘導溝を形成することにより、容器保持部材は摺動レールが誘導溝に沿って摺動することで上下方向にスムーズに動作可能となる。
【００２２】
また、装飾形状が異なる複数種類の押し出し容器を備えることにより、製造した食品模型のアクセサリーが単調なためにすぐに飽きられることがない。さらに、装飾形状として少なくとも、ハート型形状、扇型形状、大円形状、小円形状、のパターンを用意することで、実際のケーキなどでホイップクリームによって描かれる基本的な形状を食品模型で再現することができる。
【００２３】
そして、基本玩具載置トレイの底板に基本玩具の形状に対応する溝が形成されていることにより、基本玩具載置トレイ上における基本玩具を載置する位置が明確となる。よって、押し出し容器から押し出されて形成されるクリーム樹脂による装飾が基本玩具上の所定位置から外れた位置に形成されることを防止できる。
【００２４】
さらに、押し出し容器の下端面の中心位置に、下方に突出する中央突起を形成することにより、押し出し容器から基本玩具の上面にクリーム樹脂を押し出すときに、基本玩具の上面と押し出し容器の底面との間に所定の間隙を形成できることとなる。
【００２５】
また、カバー部材が、台座から操作部材の押圧板の位置までが前方を開口とされていることにより、玩具収納空間に容易に基本玩具や押し出し容器をセットできることとなる。
【図面の簡単な説明】
【００２６】
【図１】本考案における装飾体成形補助具の外観斜視図である。
【図２】上記装飾体成形補助具の一方のカバー部材を取り外した斜視図である。
【図３】上記装飾体成形補助具の分解斜視図である。
【図４】上記装飾体成形補助具の一方のカバー部材の斜視図である。
【図５】上記装飾体成形補助具の基本玩具載置トレイの斜視図である。
【図６】上記装飾体成形補助具の容器保持部材の斜視図である。
【図７】上記装飾体成形補助具の押し出し容器および容器収納具の斜視図である。
【図８】上記装飾体成形補助具の押込部材の斜視図である。
【図９】上記装飾体成形補助具の操作部材の斜視図である。
【図１０】上記装飾体成形補助具の使用方法についての説明図である。
【図１１】上記装飾体成形補助具の使用方法についての説明図である。
【図１２】上記装飾体成形補助具の使用方法についての説明図である。
【図１３】上記装飾体成形補助具の使用方法についての説明図である。
【考案を実施するための形態】
【００２７】
以下、本考案を実施するための形態について図に基づいて詳細に述べる。図１は、本考案の実施形態における装飾体成形補助具1の斜視図であり、図２は、装飾体成形補助具1の左カバー9bを取り外した状態の斜視図であり、図３は、装飾体成形補助具1の分解斜視図である。なお、以下の説明において、カバー部材9が開口している側を前方、前方と対向する方向を後方とし、図１における上方を上、下方を下とし、前後方向および上下方向と直交する方向を左右方向とする。
【００２８】
ケーキのスポンジやフルーツ、タルト、クッキーなどを模した基本玩具10の上面にホイップクリームなどを模した特殊合成樹脂であるクリーム樹脂で装飾を施して遊戯する食品形状玩具がある。本実施形態における装飾体成形補助具1は、この食品形状玩具において基本玩具10の上面にクリーム樹脂で装飾を施すときに使用する補助具である。さらに述べると、装飾体成形補助具1は、簡単な操作で基本玩具10の上面にハート型や扇型、大円型、小円型などの形状をクリーム樹脂で描くことができる玩具である。なお、基本玩具10も様々な形状のものがあり、例えば、ハート型や扇形、円形のものがある。
【００２９】
この装飾体成形補助具1は、図１乃至図３に示すように、下端に位置する台座2と、台座2上に配置された基本玩具載置トレイ3と、基本玩具載置トレイ3の上方に配置され、クリーム樹脂が充填される押し出し容器4と、この押し出し容器4を保持し、かつ、押し出し容器4とともに上下に稼働する容器保持部材5と、押し出し容器4内のクリーム樹脂を下方に押し込む押込部材6と、押込部材6を下方に押し込む操作部材7と、台座2から垂直に立ち上がるカバー部材9と、を備える。なお、台座2、基本玩具載置トレイ3、容器保持部材5、操作部材7、カバー部材9によって装飾体成形補助具1の本体を構成しており、押し出し容器4および押込部材6は本体に着脱自在な部材である。
【００３０】
台座2は、装飾体成形補助具1の基台となる部材であり、上面21が平面状に形成され、この上面21に基本玩具載置トレイ3が摺動する二本の摺動レール22a,22bと、カバー部材9が固着される固着溝25a,25bと、が形成されている。二本の摺動レール22a,22bは、それぞれ平行に前後方向に延在するように形成されている。
【００３１】
カバー部材9は、容器保持部材5や操作部材7を保持する部材であり、それぞれ略対称形状の右カバー9aと左カバー9bが係合されてなる。なお、以下の説明においては、右カバー9aと左カバー9bは略対称形状であるため、右カバー9aに特化して述べる。このカバー部材9は、図２および図４に示すように、下方の前方が開口とされて内側に玩具収納空間91を有し、上方は箱型に形成されて内部に操作部材7が動作する空間である上方空間93を有している。この上方空間93は玩具収納空間91との間に中間板94が配置され、この中間板94と、前面95、後面96、側面97および上面98により覆われた空間である。そして、中間板94および上面98には操作部材7が貫装される円形の開口94a,98aが形成されている。さらに、カバー部材9の前面95には、図１に示したように装飾板99が取り付けられている。
【００３２】
また、側面97（玩具収納空間91を形成する側板）の内面における中間板94の下方近傍には、前後方向（横方向）に延設された突出部である掛止枠97eと、掛止枠97eが途中で切り欠かれて、この切り欠き部の端部から下方に延設された２つの突出部によって形成される誘導溝97fと、が形成されている。この掛止枠97eは、後述する容器保持部材5が下降したときに上面板51の外縁が掛止することにより容器保持部材5のそれ以上の下降を禁止するための部位である。また、誘導溝97eは、後述する容器保持部材5の摺動レール52aが挿入されることにより、容器保持部材5が下降するときの動きを支持（誘導）するための部位である。
【００３３】
基本玩具載置トレイ3は、基本玩具10が載置される方形状で皿状の部材であり、カバー部材9の玩具収納空間91内で台座2の上面21に摺動可能に配置されている。この基本玩具載置トレイ3の下面には、図５（ａ）に示すように、前後端辺近傍における両側近傍に台座2の摺動レール22a,22bに係合する四つの摺動突起33が形成されている。また、基本玩具載置トレイ3の前壁には前方に突出するツマミ35が形成されている。さらに、基本玩具載置トレイ3の底板31の上面には、図５（ｂ）に示すように、基本玩具10の形状に対応する形状の溝が形成されている。すなわち、基本玩具10の形状としては、上述したようにハート型や扇形、円形のものがあるが、基本玩具載置トレイ3の底板31の上面には、これに対応するハート型や扇型の溝が形成されている。
【００３４】
容器保持部材5は、押し出し容器4を基本玩具載置トレイ3の上方で保持するとともに、押し出し容器4とともに上下方向に稼働する部材である。この容器保持部材5は、図６に示すように、方形状で前方中央にＵ字状の切欠き51aを備えた上面板51と、上面板51から垂下する前方を開口とした略Ｕ字状の外側板52と、外側板52の内側に位置し外側板52と略相似形状であって外側板52よりも上下方向の長さが短く形成された内側板53と、を備える。
【００３５】
また、容器保持部材5の外側板52と内側板53の下端には押し出し容器4が掛止される掛止部54が形成されている。この掛止部54は、外側板52の下端近傍の内面から内側板53の下端縁に向かって延設された略Ｕ字状の底板55と、底板55の下方位置であって、外側板52の下端縁から内側に向かって延在する下枠56とにより形成されている。すなわち、底板55と下枠56の間に後述する押し出し容器4の掛止縁43が係入されることにより、押し出し容器4は、容器保持部材5に保持されることとなる。さらに、容器保持部材5の外側板52には、上面板51から垂下し、上下方向に延設された突出部である摺動レール52aが形成されている。
【００３６】
そして、容器保持部材5は、摺動レール52aがカバー部材9の誘導溝97eに挿入された状態でカバー部材9に装着されている。すなわち、容器保持部材5は、誘導溝97eに沿って上下に可動であり、稼働範囲は、上面板51とカバー部材9の中間板94が近接した位置から、上面板51の外縁がカバー部材9の掛止枠97eに近接する位置までとされている。
【００３７】
押し出し容器4は、内側にクリーム樹脂が充填された状態で上方から下方にクリーム樹脂を押し込むことにより、底板41の複数の穴41aから所定の外形を構成するようにクリーム樹脂を押し出すことが可能とされた部材であり、装飾体成形補助具1の本体に対して着脱自在な部材である。この押し出し容器4は、図７に示すように、複数の押し出し穴41aが所定の外形を構成するように配列された円形の底板41と、底板41の外周縁から垂直に立ち上がる円筒形状の側板42と、側板42の上端縁から外方に延在するように形成され外方に突出するツマミ43aを有した掛止縁43と、を備える。
【００３８】
底板41における複数の押し出し穴41aは、それぞれが星形であり、複数の押し出し穴41aの配列によってハート型や扇形、大円型、小円型などの所定の外形、すなわち、装飾形状46を構成している。なお、大円形とは、底板41の外周縁の内側近傍において外周縁に沿って形成された円形であり、小円型とは、底板41の中心近傍において大円よりも小さな半径で形成された円形である。また、底板41の下面中心には、下方に突出する中央突起41bが形成されている。この中央突起41bは、押し出し容器4を容器保持部材5に装着し、操作部材7を操作して下降させたときに、底板41と基本玩具10との間にクリーム樹脂を押し出し可能とするための所定の間隙を形成する部位である。
【００３９】
なお、使用しないために容器保持部材5から取り外された状態の押し出し容器4は、容器保管具47で収納保管が可能である。この容器保管具47は、中央に中心孔47cが形成された底板47aと、底板47aの外周縁から垂直に立ち上がる側板47bとからなる。
【００４０】
そして、この押し出し容器4は、図１に示したように、容器保持部材5の掛止部54に掛止縁43が掛止されるように、ツマミ43aを把持した状態でカバー部材9の開口からカバー部材9の玩具収納空間91内に挿入することで基本玩具10の上方位置に装着することができ、また、ツマミ43aを把持して引き出すことにより容器保持部材5から取り外すことができる。
【００４１】
押込部材6は、押し出し容器4の内側に配置され、押し出し容器4の内側に充填されたクリーム樹脂を面で押し込んで複数の押し出し穴41aから押し出すのに使用される部材である。この押込部材6は、図８に示すように、円形の底板61と、底板61と平行に配置された上板62と、底板61と上板62を連結する連結部材63と、から構成される。底板61は、押し出し容器4の側板42の直径よりも僅かに小さな直径を有し、押し出し容器4内に挿入可能な大きさに形成されている。
【００４２】
操作部材7は、図２に示したように押込部材6を下方に押し込むための部材であり、自動で上方に復帰が可能に形成されている。この操作部材7は、図２および図９に示すように、上端に位置するハンドル71と、ハンドル71の下方に固着された円筒形状の第一作用杆73と、第一作用杆73の下方内側に嵌入された中空で円柱形状の第二作用杆75と、第二作用杆75の周縁に巻装されたコイルバネなどの弾性体78と、カバー部材9の中間板94の開口94a部分に装着された弾性体係止環79と、を備える。
【００４３】
ハンドル71は、５個の鋭角と５個の鈍角からなる星形形状の板であり、下面の中心部分に第一作用杆73が嵌入される円筒形状の嵌入部71aを備えている。
【００４４】
第一作用杆73は、上面を有し下方が開口とされた円筒形状であり、下端部分に外方に膨出する膨出部73aを備え、ハンドル71の嵌入部71aに上端近傍が嵌入された状態でハンドル71の上方から螺子などで固定されている。膨出部73aは、カバー部材9の上面98の開口98aの径よりも大きく形成されている。この第一作用杆73は、下端部分がカバー部材9の上面98の開口98aを貫通した状態でカバー部材9に上下動可能に装着され、膨出部73aが上方空間93内に位置することでカバー部材9からの脱離が防止されている。なお、第一作用杆73は、前部材73dおよび後部材73eからなる二つの部材が縁部を対向させた状態で重合されることにより形成されている。
【００４５】
第二作用杆75は、中空の円柱形状（上面および下面を有した円筒形状）であり、下端面は押込部材6を下方に押し込む押圧板75aとされている。この押圧板75aは、容器保持部材5の上面板51に形成されたＵ字状の切欠き51aにおける円弧部分の径よりも大きな径を有しており、円柱の下端面を外方に延在させるように形成されている。なお、第二作用杆75も第一作用杆73と同様に、前部材75dおよび後部材75eからなる二つの部材が縁部を対向させた状態で重合されることにより形成されている。
【００４６】
そして、第二作用杆75は、上端がカバー部材9の中間板94の開口94aおよび中間板94の上に載置された弾性体係止環79を貫通し、第一作用杆73の下端近傍に嵌入されている。また、第二作用杆75における第一作用杆73の膨出部73aと弾性体係止環79との間には弾性体78が巻装されており、第一作用杆73は、膨出部73aと弾性体係止環79との間で伸張方向に弾性体78の弾性力が働くことで上方に付勢されている。さらに、第二作用杆75の下端は、弾性体係止環79、中間板94の開口94aおよび容器保持部材5の切欠き51aを貫通している。すなわち、押圧板75aが容器保持部材5の切欠き51aを介して上面板51の下方に位置しているため、容器保持部材5は操作部材7に釣支された状態となっている。
【００４７】
この操作部材7は、ハンドル71を弾性体78の弾性力に抗して下方に押し込むと、第二作用杆75の押圧板75aが押し出し容器4および容器保持部材5とともに下方に移動し、押圧板75aが押込部材6の上板62と接して押込部材6を下方に押し込むこととなる。そして、ハンドル71を開放すると、弾性体78の弾性力によって第一作用杆73の膨出部73aが上方に付勢され、第二作用杆75の押圧板75aが容器保持部材5を吊り下げた状態で上方に移動（復帰）することとなる。
【００４８】
次に、このような構成とされた装飾体成形補助具1の使用方法について述べる。図１０（ａ）に示すように、まず、ユーザは、基本玩具載置トレイ3を前方に摺動させ、基本玩具載置トレイ3の底板31に形成された溝に合わせて所望の基本玩具10を載置し、図１０（ｂ）に示すように、基本玩具載置トレイ3を後方に摺動させる。そして、ユーザは、複数の押し出し容器4の中から所望のものを選択し、選択した押し出し容器4内にクリーム樹脂を充填し、押し出し容器4内に押込部材6を挿入した後、図１１に示すように、容器保持部材5に押し出し容器4をセットする。
【００４９】
そして、ユーザは、図１２（ａ）に示すように、弾性体78に抗して上方からハンドル71を下方に押し込む。ハンドル71が下方に押し込まれると、押し出し容器4と容器保持部5が下方に移動し、押し出し容器4の中央突起41b（図７参照）が基本玩具10の上面に接するまで下降する。そして、押し出し容器4の中央突起41bが基本玩具10の上面に接すると、押し出し容器4と容器保持部5のそれ以上の下降は禁止されるため、操作部材7の押圧板75aにより押込部材6が押し出し容器4内で下降して底板61（図８参照）が押し出し容器4内のクリーム樹脂を下方に押し込み、押し出し容器4の底板41の押し出し穴41a（図７参照）からクリーム樹脂が基本玩具10上に押し出される。基本玩具10上には、押し出し容器4の装飾形状46（図においてはハート型）がクリーム樹脂によって形成される。ユーザがハンドル71を開放すると、図１２（ｂ）に示すように、ハンドル71は弾性体78（図７参照）の弾性力で復帰する。ユーザは、図１３（ａ）に示すように、基本玩具載置トレイ3を前方に摺動させ、図１３（ｂ）に示すように、基本玩具10を基本玩具載置トレイ3から取り出す。
【００５０】
このように本実施形態における装飾体成形補助具1が台座2と、基本玩具載置トレイ3と、押し出し容器4と、操作部材7と、カバー部材9と、を備えた構成とされることにより、基本玩具10を基本玩具載置トレイ3上に載置しハンドル71を下方に押し込むだけで、基本玩具10上に容易にクリーム樹脂による装飾を施すことができることとなる。
【００５１】
なお、本考案は、以上の実施形態に限定されるものではなく、考案の目的、作用、効果を変更しない限り設計変更が可能である。
【符号の説明】
【００５２】
1   装飾体成形補助具
2   台座                              3   基本玩具載置トレイ
4   押し出し容器                      5   容器保持部材
6   押込部材                          7   操作部材
9   カバー部材                        9a  右カバー
9b  左カバー
10  基本玩具                          21  上面
22a,22b 摺動レール
25a,25b 固着溝
31  底板                              33  摺動突起
35  ツマミ                            41  底板
41a 押し出し穴                        41b 中央突起
42  側板                              
43  掛止縁                            43a ツマミ
46  装飾形状                          47  容器保管具
47a 底板                              47b 側板
47c 中心溝
51  上面板                            51a 切欠き
52  外側板                            52a 摺動レール
53  内側板                            54  掛止部
55  底板                              56  下枠
61  底板                              62  上板
63  連結部材                          71  ハンドル
71a 嵌入部
73  第一作用杆                        73a 膨出部
73d 前部材                            73e 後部材
75  第二作用杆                        75a 押圧板
75d 前部材                            75e 後部材
78  弾性体                            79  弾性体係止環
91  玩具収納空間                      93  上方空間
94  中間板                            94a 開口
95  前面                              96  後面
97  側面                              97e 掛止枠
97f 誘導溝
98  上面                              98a 開口
99  装飾板
【図１】
0003167093.tif 000003
【図２】
0003167093.tif 000004
【図３】
0003167093.tif 000005
【図４】
0003167093.tif 000006
【図５】
0003167093.tif 000007
【図６】
0003167093.tif 000008
【図７】
0003167093.tif 000009
【図８】
0003167093.tif 000010
【図９】
0003167093.tif 000011
【図１０】
0003167093.tif 000012
【図１１】
0003167093.tif 000013
【図１２】
0003167093.tif 000014
【図１３】
0003167093.tif 000015